(57)【特許請求の範囲】
【請求項１】
複数の脚体間を連結するように平面視枠状に配置される支持フレームの上部に天板の周縁部が支持されたテーブルであって、
前記支持フレームは、該支持フレームの外側面から外方に突出するように該支持フレームの長手方向に沿って延設された水平突条を有し、
前記脚体は、該脚体の外面から外方に突出するように該脚体の長手方向に沿って延設された垂直突条を有し、
前記脚体と前記支持フレームとの連結状態において、前記水平突条と前記垂直突条の上端とが連続するようにしたことを特徴とするテーブル。
【請求項２】
前記支持フレームは、平面視方形枠状に配置され、前記水平突条の角部において前記垂直突条の上端が連続するようにしたことを特徴とする請求項１に記載のテーブル。
【請求項３】
前記脚体は横断面略方形状に形成され、
前記垂直突条は、前記脚体の外面角部から対角線の延長方向に向けて突設されるとともに、その先端部には、該脚体に隣り合う水平突条それぞれの外側端面に連続する一対の垂直面が長手方向にわたり延設されていることを特徴とする請求項１または２に記載のテーブル。
【請求項４】
前記天板の下面における外周縁部に沿って形成された段部により肉薄外周縁部が形成され、
前記水平突条は、前記支持フレームに形成された天板支持面の外縁部から上方に向けて突出するように前記支持フレームの長手方向に沿って延設された上向きガイド部の外側面上部から外方に突出されていることを特徴とする請求項１ないし３のいずれかに記載のテーブル。
【発明の詳細な説明】
【技術分野】
【０００１】
本発明は、複数の脚体間を連結するように平面視枠状に配置される支持フレームの上部に天板が支持されたテーブルに関する。
【背景技術】
【０００２】
従来、この種のテーブルとしては、例えば天板の周縁部分下面に段部を設けることで周縁の厚みが薄い薄肉周縁部を形成し、この薄肉周縁部の下面を４本の脚体（脚支柱）によって支持された支持フレームの上面（上壁）に載置することで天板を支持するようにしたものがある（例えば、特許文献１参照）。
【０００３】
【特許文献１】特開平０３−２２４５０８号公報（第３頁、第１図）
【発明の開示】
【発明が解決しようとする課題】
【０００４】
この種のテーブルのフレームや脚支柱等は、天板の荷重を支持することで高い強度が要求されるが、特に上記特許文献１に記載のテーブルのように、天板の荷重を薄肉周縁部下面にて支持するものにおいては、フレームや脚支柱の強度を高めるために肉厚（太く）とすることで、使用者側からフレームが目立ちやすくなり、使用者に圧迫感を与えてしまうという問題があった。
【０００５】
本発明は、このような問題点に着目してなされたもので、支持フレームと脚体の肉厚を厚くすることなく、両者の強度を高めるとともに、使用者に圧迫感を与えにくくことができるテーブルを提供することを目的とする。
【課題を解決するための手段】
【０００６】
前記課題を解決するために、本発明の請求項１に記載のテーブルは、
複数の脚体間を連結するように平面視枠状に配置される支持フレームの上部に天板の周縁部が支持されたテーブルであって、
前記支持フレームは、該支持フレームの外側面から外方に突出するように該支持フレームの長手方向に沿って延設された水平突条を有し、
前記脚体は、該脚体の外面から外方に突出するように該脚体の長手方向に沿って延設された垂直突条を有し、
前記脚体と前記支持フレームとの連結状態において、前記水平突条と前記垂直突条の上端とが連続するようにしたことを特徴としている。
この特徴によれば、支持フレームの水平突条と、脚体の垂直突条とにより、支持フレームや脚体の厚みを肉厚とすることなく強度を高めることができるばかりか、天板周縁部下方には水平突条や垂直突条のみが配置され、支持フレームや脚体は天板の周縁部よりも内側に配置されるため、使用者に圧迫感を与えることがない。また、脚体と支持フレームとの連結状態において水平突条と垂直突条とが連続することにより、外観体裁が向上する。
【０００７】
本発明の請求項２に記載のテーブルは、請求項１に記載のテーブルであって、
前記支持フレームは、平面視方形枠状に配置され、前記水平突条の角部において前記垂直突条の上端が連続するようにしたことを特徴としている。
この特徴によれば、外観体裁が向上する。
【０００８】
本発明の請求項３に記載のテーブルは、請求項１または２に記載のテーブルであって、
前記脚体は横断面略方形状に形成され、
前記垂直突条は、前記脚体の外面角部から対角線の延長方向に向けて突設されるとともに、その先端部には、該脚体に隣り合う水平突条それぞれの外側端面に連続する一対の垂直面が長手方向にわたり延設されていることを特徴としている。
この特徴によれば、１つの支持フレームの外側端面及び該支持フレームに隣り合う脚体それぞれの一方の垂直面により下向きコ字形の連続面が形成されるため、テーブルの外観体裁が向上する。
【０００９】
本発明の請求項４に記載のテーブルは、請求項１ないし３のいずれかに記載のテーブルであって、
前記天板の下面における外周縁部に沿って形成された段部により肉薄外周縁部が形成され、
前記水平突条は、前記支持フレームに形成された天板支持面の外縁部から上方に向けて突出するように前記支持フレームの長手方向に沿って延設された上向きガイド部の外側面上部から外方に突出されていることを特徴としている。
この特徴によれば、天板の下面における外周縁部に沿って形成された段部、つまり天板下面における肉厚部の側周面が上向きガイド部により覆われることで、天板の水平移動が規制されるため、天板の支持フレームに対する位置決めが容易になるばかりか、天板の肉厚部の厚みに関わりなく、水平突条を肉薄外周縁部の下面に近づけて配置することができるため、外観上天板の厚みを薄く見せることができる。
【発明を実施するための最良の形態】
【００１０】
本発明に係るテーブルを実施するための最良の形態を実施例に基づいて以下に説明する。
【実施例１】
【００１１】
本発明の実施例を図面に基づいて説明すると、先ず図１は、本発明が適用されたテーブルの全体像を示す斜視図であり、図２は、図１のテーブルを示す要部拡大組立斜視図であり、図３は、脚体を下方から見上げた状態を示す横断平面図であり、図４は、図３のＡ−Ａ断面図であり、図５は、図３のＢ−Ｂ断面図であり、図６は、図４のＣ−Ｃ断平面図であり、図７は、テーブルの角部の形状を示す斜視図であり、図８は、ケーブルカバーを示す斜視図であり、図９は、（ａ）は（ｃ）のＤ−Ｄ断面図であり、（ｂ）は（ｃ）のＥ−Ｅ断面図であり、（ｃ）は脚体におけるケーブル溝の開口が閉塞されている状態を示す一部破断正面図であり、図１０は、（ａ）は（ｃ）のＦ−Ｆ断面図であり、（ｂ）は（ｃ）のＧ−Ｇ断面図であり、（ｃ）は脚体におけるケーブル溝が開放されている状態を示す一部破断正面図である。以下、テーブルを使用する使用者側をテーブルの外側、天板の下方をテーブルの内側として説明する。
【００１２】
図１の符号１は、本発明の適用された家具としてのテーブルであり、このテーブル１は、例えば企業の会議室等で使用される会議用テーブルである。図１及び図２に示すように、このテーブル１は主に、上面にノートパソコン２５等の電子機器や会議用の書類等を載置する天板２と、この天板２を上方に支持する支持フレーム３と、支持フレーム３を四隅から所定の高さ位置に支持する脚フレームとしての四本の脚体４と、から構成されている。尚、これら支持フレーム３及び脚体４は、ともにテーブル本体を構成するフレーム（骨組み）である。
【００１３】
テーブル１の構成について詳述すると、図１に示すように、天板２は、上面が長方形状に形成された、略直方体形状の板体である。また、図２及び図４に示すように、天板下面５における外周縁部には、垂直面６と、水平面７と、垂直面６と水平面７を接続するラウンド面８と、からなる段部９がその全周に亘って形成されている。そして、段部９が形成されたことにより、天板２の周縁は水平方向に向けて凸となる肉薄外周縁部１０に形成されている。尚、このような段部９は、例えば切削加工等により形成されている。
【００１４】
図３及び図４に示すように、支持フレーム３は、天板２を支持可能なように平面視長方形状に配置されている。尚、支持フレーム３は、上方に天板２を支持すると、平面視において天板２によって被覆される大きさに形成されている。
【００１５】
支持フレーム３は、直線状に形成され、脚体４間を連結する４本の連結フレーム１１と、各脚体４の上部に取り付けられ、２本の連結フレーム１１の端部が床面と平行且つ互いに直角に連結される４個のブラケット１２と、によって構成されている。この連結フレーム１１は、図２及び図５に示すように、アルミ材により押出成形で製造される角管形状の部材である。
【００１６】
図３及び図４に示すように、この連結フレーム１１の長手方向の両端部近傍の下面には、下方に向けて連結フレーム１１内部の中空と連通する開口１１ａが形成されている。この開口１１ａには、ボルト１２によって連結フレーム１１をブラケット１２に連結するためのガイド部材１３が嵌合されている。このガイド部材１３は、ボルト１２をブラケット１２に向けて斜め上方にガイドするようになっており、連結フレーム１１の下面に溶接若しくは螺着等の手段により固着されている。また、連結フレーム１１の長手方向の両端部は、ブラケット１２の後述する連結凸部１４が挿嵌される連結穴１１ｂとして機能する。
【００１７】
図２及び図５に示すように、連結フレーム１１の上面外縁部には、上方に向けて突出するガイド部１５が、連結フレーム１１の長手方向に沿って延設されている。ガイド部１５は縦断面略長方形状に形成されており、ガイド部１５の上面から連結フレーム１１の上面までのガイド部１５の上下寸法は、天板２の肉厚部２ａの下面５からラウンド面８までの垂直面６の上下寸法と略同一となっている。
【００１８】
更に、ガイド部１５の外側面１５ａ上部からは、外方に向けて水平に突出する水平突条１６が、連結フレーム１１の長手方向に沿って延設されている。水平突条１６の外側端部としての外側端面１６ａと天板２の肉薄外周縁部１０の外側端部としての外側端面１０ａは、上下方向に略面一となるように位置しており、つまり、水平突条１６の外側端面１６ａが天板２の肉薄外周縁部１０の外側端面１０ａよりも外方に張り出さないように形成されている。更に、水平突条１６の外側端面１６ａからは、この天板２の肉薄外周縁部１０の外側端面１０ａと略面一となる位置で、下方を向く屈曲部１８が屈曲形成されている。この屈曲部１８が形成されることで、水平突条１６の強度が向上するとともに、テーブル１を複数人で持ち上げて移動させる際等に、指を係止させておくことができるので、テーブル１の移動をスムーズに行うことができる。
【００１９】
この水平突条１６の上面における外側端面１６ａよりも内方位置からは、上向き突条１７が形成されている。この上向き突条１７は、ガイド部１５と同じく、連結フレーム１１の長手方向に沿って延設されている。尚、上向き突条１７の上下寸法は、水平突条１６の上面から天板２の肉薄外周縁部１０の下面である水平面７までの上下寸法と略同一となっている。尚、水平突条１６、上向き突条１７、屈曲部１８は、縦断面略長方形状をなす板状に形成されているとともに、その肉厚は、ブラケット１２及び連結フレーム１１の肉厚よりも薄肉となっている。
【００２０】
図３及ぶ図４に示すように、ブラケット１２は、アルミ材により構成された上面及び下面が平面視正方形状に形成された、略直方体形状の部材である。このブラケット１２の水平方向から連結フレーム１１が連結される２つの内側面１２ｇには、連結フレーム１１の連結穴１１ｂの補形を成す連結凸部１４が凸設されている。この連結凸部１４が設けられている２つの連結面は、連結フレーム１１のＢ−Ｂ断面視の外形と同形状に形成されている。
【００２１】
連結凸部１４の先端部には、ボルト１２が螺着される螺着孔１４ａが形成されており、この螺着孔１４ａは、ガイド部材１３によって斜め上方にガイドされるボルト１２を螺着可能なように、斜め下方に向けて傾斜して形成されている。
【００２２】
また、図２及び図６に示すように、ブラケット１２における２つの外側面１２ｈには、連結フレーム１１に設けられたものと同一構成であるガイド部１５と、水平突条１６と、上向き突条１７と、屈曲部１８とが、内側面１２ｇ方向から延設されて外側角部１２ｅにおいて互いに連設されており、ブラケット１２上面において平面視直角に形成されている。
【００２３】
ブラケット１２の外側面１２ｈ側に位置している外側角部１２ｅからは、テーブル１外方に突出する垂直突条２０が、ブラケット１２の上下方向に亘って形成されている。この垂直突条２０は、平面視正方形であるブラケット１２の内側面１２ｇに位置する内側角部１２ｄと、外側角部１２ｅを結ぶ対角線の延長上に向けて突設されている。
【００２４】
垂直突条２０の先端部は、一対の外側面である垂直面２０ａとして平面視直角に形成されており、図５〜図７に示すように、この一対の垂直面２０ａの上端は、ブラケット１２の外側縁部の上部において、直角を形成している一対の水平突条１６の外側端面１６ａと連続して略面一に形成されている。
【００２５】
つまり、図１に示されるように、支持フレーム３の水平凸状６の外側端面１６ａ及び該支持フレーム３に隣り合う脚体４それぞれの一方の垂直面２０ａにより、テーブル１の四方側面それぞれに、下向きコ字形をなす細帯状の端面（連続面（図６参照））が連続形成される。
【００２６】
さらに、これら細帯状の連続面の内側には、連結フレーム１１における横方向に延びる外側面１５ａ、ブラケット１２における外側面１２ｈ、脚柱４における縦方向に延びる外側面により、下向きコ字形をなす帯状の外側面（図６参照）が連続形成されるため、テーブル１の四方側面それぞれの外観を同形態とすることができるため、使用者に違和感を与えることがない。
【００２７】
図４及び図６に示すように、連結フレーム１１とブラケット１２を連結させるには、ブラケット１２の連結凸部１４を連結フレーム１１の連結穴１１ｂに挿嵌する。そして、使用者が連結フレーム１１の下面側からガイド部材１３を介して螺着孔１４ａにボルト１２を締めることで、ブラケット１２と連結フレーム１１が連結される。このとき、螺着孔１４ａが斜め下方に向けて傾斜していることで、使用者は螺着孔１４ａが水平である場合に比べて容易にボルト１２を締めて連結フレーム１１とブラケット１２を連結させることができる。
【００２８】
このとき、ブラケット１２側と連結フレーム１１側のガイド部１５と、水平突条１６と、上向き突条１７と、屈曲部１８とが、ブラケット１２と連結フレーム１１とが連結されたことにより、それぞれ連結されて、支持フレーム３の一部として一体に形成される。
【００２９】
また、図４に示すように、ブラケット１２の下面には、ブラケット１２と脚体４の連結を行う、後述するロングボルト２３の先端部が螺着される上下方向を向く螺着孔１２ａが形成されている。更に、図２に示すように、ブラケット１２のテーブル１内方側には、天板２を下方から支持する天板支持部１２ｂが設けられており、ブラケット１２に連結フレーム１１が連結されると、これらブラケット１２と、連結フレーム１１と、天板支持部１２ｂと、の上面が面一となって天板下面５を支持する水平な天板支持面１９を構成する。
【００３０】
天板支持面１９は平面視四角枠状に形成されており、その水平方向の寸法は、天板下面５の水平寸法と略同一を成している。尚、図２に示すように、天板支持部１２ｂには、天板２が支持フレーム３の天板支持面１９上に載置された際に天板２を支持フレーム３に固定するボルトを挿通可能なボルト孔１２ｃが形成されている。
【００３１】
また、図９に示すように、ブラケット１２の下面の内側角部１２ｄ内側には、後述するケーブルカバー２１の上端部に挿嵌する固定ガイド突起１２ｆが設けられており、この固定ガイド突起１２ｆは、ケーブルカバー２１が水平方向に回動しやすいように略円筒形状に形成されている。
【００３２】
脚体４は、図１に示すように、支持フレーム３の四隅であるブラケット１２の下面に上端を連結される部材であって、下端に設けられたアジャスタ２２を調整することでテーブル１の高さを調整することができる。尚、本実施例で使用するアジャスタ２２は、特に図示しないが、上部にボルト部が設けられており、アジャスタ２２を回動させることで、このボルト部２２ａを脚体４に対して締緩させることでテーブル１の高さ調整を行う。
【００３３】
脚体４は内部が中空であり、アルミ材により押出成形で製造される角管形状の部材であり、図４及び図６に示すように横断面視で略正方形状に形成されている。脚体４内における一本の対角線上には、脚体４の下面からアジャスタ２２のボルト部２２ａが螺入される円筒状のアジャスタ溝４ａと、脚体４の下面からロングボルト２３を挿通可能な円筒状のボルト溝４ｂと、天板２上のノートパソコン２５等の配線ケーブル２５ａを収納可能な配線挿通部としての円筒状のケーブル溝４ｃと、が脚体４の長手方向にわたり上下方向に延設されている。
【００３４】
図６及び図９に示すように、ケーブル溝４ｃは、脚体４の内側角部１２ｄに上下方向に沿うように形成された所定幅寸法の開口４ｄと、この開口４ｄの内側に連設された横断面視略Ｃ字形状に形成された周壁４ｅと、から構成されている。つまり、開口４ｄは、脚体４の内側角部４ｆを上下方向に切り欠くことにより該脚体４の上端から下端にかけて形成されており、その水平幅はケーブル溝４ｃの直径よりも幅狭に形成されている。
【００３５】
また、ケーブル溝４ｃ内には、ノートパソコン２５等の配線ケーブル２５ａを収納可能な閉塞部材としてのケーブルカバー２１が水平方向に回動自在に挿嵌されている。図８及び図９に示すように、ケーブルカバー２１は樹脂やゴム等で押出成形により製造された筒状の部材であり、ケーブル溝４ｃの周壁４ｅの内周面に摺接可能な摺接面としての外周面２１ａが、周壁４ｅの内周面に沿うように、上下方向に延びる開口部２１ｂが形成された横断面視略Ｃ字形状に形成されている。つまりこのケーブルカバー２１の外周面２１ａは、ボルト溝４ｂの周壁４ｅ内周面とほぼ同一曲率に形成されている。
【００３６】
ケーブルカバー２１の上端部及び下端部には、開口部２１ｂと連通した切欠２１ｃが形成されており、平面視略Ｃ字形状を形成するケーブルカバー２１の一端部は上下方向に突設された当接片２１ｄに形成されている。尚、ケーブルカバー２１の平面視における外径は、ケーブル溝４ｃの内径と略同一に形成されており、ケーブルカバー２１の内径は、固定ガイド突起１２ｆの外径と略同一に形成されている。
【００３７】
ボルト溝４ｂは、略正方形状の中央に配置されており、アジャスタ溝４ａとケーブル溝４ｃとは、ボルト溝４ｂを挟んで、それぞれが略正方形の対角線を成している対向角である内側角部４ｆと外側角部４ｇ側に配置されている。更に、アジャスタ溝４ａの近傍である外側角部４ｇには、正方形の対角線上に向けて突設される垂直突条２０が、脚体４の長手方向である上下方向に亘って形成されている。尚、この垂直突条２０は、ブラケット１２に形成された垂直突条２０と同一の寸法と形状を有している。
【００３８】
脚体４とブラケット１２を連結させる際には、先ず、脚体４の上面とブラケット１２の下面を当接させる。そして、ブラケット１２下面の固定ガイド突起１２ｆにケーブル溝４ｃ内のケーブルカバー２１の上端部を挿嵌させることで脚体４の上面を閉塞し、図４に示すように、ロングボルト２３をブラケット１２に螺着した後に、脚体４の下面を下部蓋体としてのカバー体２４によって閉塞する。
【００３９】
このカバー体２４は、特に図示はしないが、脚体４の下面形状とほぼ同一形状に形成されており、ロングボルト２３とアジャスタ溝４ａの下方に位置する部分には開口２４ａが形成されているとともに、ケーブルカバー２１の下端開口から嵌合される軸部としての固定ガイド突起２４ｂが設けられており（図９及び図１０参照）、開口２４ａを通してアジャスタ２２のボルト部２２ａをアジャスタ溝４ａに螺着させる。
【００４０】
尚、カバー体２４に形成された固定ガイド突起２４ｂはブラケット１２下面の固定ガイド突起１２ｆと同形状に形成されており、脚体４の下面を閉塞する際に、ケーブルカバー２１の下端開口に摺動自在に嵌合する。このようにすることで、ケーブルカバー２１はカバー体２４により下端が支持されているため、ケーブル溝４ｃ内に離脱不能に配置される。ケーブルカバー２１がケーブル溝４ｃ内に配置された状態において、当接片２１ｄは開口４ｄに配置されており、ケーブルカバー２１が水平方向に回動すると当接片２１ｄがケーブル溝４ｃの端部に当接して、ケーブルカバー２１の水平方向の回動を規制している。
【００４１】
また、脚体４の垂直突条２０先端部及び、各連結凸部１４の背面側には、カバー体２４を脚体４の下面に係止するための係止溝４ｈが形成されており、カバー体２４の上面に突設された上向き係止片２４ｃ（図４及び図６参照）を係止溝４ｈに挿嵌することにより、脚体４の下面に取り付けられる。
【００４２】
次に、上述のように構成されたテーブル１の組み付け状況について説明すると、まず、４本の脚体４により四隅が下方から支持フレーム３の天板支持面１９上に天板２を載置する。具体的には、図４及び図５に示すように、天板下面５を支持フレーム３の内方位置に構成された天板支持面１９に上方から載置する。
【００４３】
このように天板２の肉厚部２ａの下面５を、支持フレーム３上に形成された四角枠状の天板支持面１９上に載置した状態において、肉厚部２ａの側面である垂直面６が天板支持面１９の外周に亘って形成されたガイド部１５の内側面と対向することにより、天板２の水平方向の移動が規制されて位置決めされる。つまり、天板２は、肉厚部２ａを枠状のガイド部１５の内側に嵌合し、肉厚部２ａの下面５が枠状の天板支持面１９上に載置されることで、支持フレーム３上に支持される。
【００４４】
そして、肉薄外周縁部１０の下面である水平面７には、上向き突条１７の上面が当接する。この状態において、上向き突条１７が天板２のラウンド面８よりも外方に位置しているため、段部９、すなわち、肉厚部２ａの側面がその全周に亘って外面視から隠蔽されるため、前述したように切削加工等により形成された切削面（肉厚部２ａの側面）が外部に露呈されることがなく、また、切削面を仕上げ加工する手間が省ける。
【００４５】
さらに、水平突条１６の上面を隆起させてその上面を水平面７に近接させることなく、板状の上向き突条１７を水平突条１６の幅方向略中央位置から突設して近接させることで、上向き突条１７の内側と肉厚部２ａの側面との間に空間部が形成されるため（図４参照）、天板２を天板支持面１９上に載置する際において、水平突条１６の上面とラウンド面８や段部９等が接触することがなく、切削面の成型誤差等が空間部により許容されるため、下面５を確実に天板支持面１９上に載置させることができる。
【００４６】
また、水平突条１６の上面と水平面７とが上下方向に離間して配置されることで、肉薄外周縁部１０の下面である水平面７と水平突条１６との間に、側方に開放する水平な長溝、つまり目地が形成されるため、肉薄外周縁部１０の薄さが際立つ。
【００４７】
天板２を支持フレーム３に載置した後、天板支持部１２ｂのボルト孔１２ｃに下方から挿通されたボルトによって天板２を支持フレーム３に対して螺着し、天板２を支持フレーム３と一体に固定してテーブル１の組立が完了する。
【００４８】
次に、配線ケーブル２５ａを収納するケーブル溝４ｃとケーブルカバー２１について説明すると、先ず、図９及び図１０に示すように、ケーブルカバー２１をケーブル溝４ｃ内において水平方向に回動させることにより、開口４ｄが開閉されるようになっている。
【００４９】
具体的には、使用者がケーブルカバー２１の当接片２１ｄを把持することでケーブルカバー２１を回動させることができるようになっており、この回動範囲は当接片２１ｄによって開口４ｄの水平幅に規制されている。そして、この回動範囲内において、図９に示す開口４ｄがケーブルカバー２１の外周面２１ａによって閉塞された状態と、図１０に示す開口４ｄと開口部２１ｂが連通された状態を切り換えることができる。
【００５０】
また、使用者は、図１０に示す状態でケーブルカバー２１内に配線ケーブル２５ａを収納した後に、当接片２１ｄを把持し、ケーブルカバー２１を回動させることで開口４ｄを閉塞し、ケーブルカバー２１内に収納された配線ケーブル２５ａを外面視から隠蔽する。
【００５１】
更に、図９に示す配線ケーブル２５ａがケーブルカバー２１内に収納された状態においては、再び使用者が当接片２１ｄを把持してケーブルカバー２１を回動させることで容易に配線ケーブル２５ａをケーブルカバー２１内から取り出すことができる。また、ケーブルカバー２１は周壁４ｅ内周面に沿って回動するとともに、回動軸心等がケーブル溝４ｃ内に存在しないため、回動時に配線が邪魔になることがない。そして、開口４ｄの水平幅はケーブル溝４ｃの直径よりも幅狭に形成されている為に、配線ケーブル２５ａにテーブル内方側への力が働く場合であっても、安定して配線ケーブル２５ａをケーブルカバー２１内に収納することができる。
【００５２】
このように、閉塞部材としてのケーブルカバー２１の外周面２１ａ（摺接面）が周壁４ｅの内周面によりガイドされることで、周壁４ｅ内に挿嵌されたケーブルカバー２１が軸心周りに回動されるため、脚柱４の外面に形成された開口４ｄをケーブルカバー２１により簡単に開閉することができるばかりか、開口４ｄの左右幅分の開閉ストロークを行うだけで、開口４ｄを長手方向にわたり開閉することができる。また、周壁４ｅ内にケーブルカバー２１を挿嵌するだけで周壁４ｅ内からのケーブルカバー２１の逸脱が規制されるため、係止片等を用いることなく、周壁４ｅ内にケーブルカバー２１を確実に保持しておくことができる。
【００５３】
また、周壁４ｅの下端開口を閉塞する下部蓋体であるカバー体２４が脚柱４の下端に取り付けられているで、ケーブルカバー２１の周壁４ｅ内からの落下を防止されるとともに、カバー体２４には、ケースカバー２１の下端開口内に摺動自在に嵌合する固定ガイド突起２４ｂが突設されていることで、ケースカバー２１の下端が安定して回動自在に支持される。
【００５４】
また、配線挿通部であるケーブル溝４ｃの上端開口が支持フレーム３を構成するブラケット１２により閉塞されることで、支持フレーム３を利用してケーブル溝４ｃの上端開口を閉塞することができる。また、ケーブルカバー２１における開口部２１ｂの両端縁部のうち少なくとも一方に、脚柱４の開口４ｄ端縁部に当接する当接片２１ｄが延設されていることで、当接片２１ｄが開口時における当接規制片となるとともに、ケーブルカバー２１の回動操作片として使用できる。
【００５５】
以上説明したように、本発明が適用された実施例としてのテーブル１にあっては、天板２の肉薄外周縁部１０が肉薄に形成されるとともに、天板２の荷重を支持する支持フレーム３のガイド部１５が天板２の肉薄外周縁部１０よりも内方位置に配置され、かつ、支持フレーム３のガイド部１５から外向きに突設された水平突条１６が肉薄外周縁部１０の下方に配置されることで、天板２の荷重を支持フレームにて確実に支持できるとともに、支持フレーム３が天板２の外周縁よりも内側に配置されることで、使用者に圧迫感を与えることがなく、かつ外観上天板２の厚みを薄く見せることができる。また、水平突条１６及び水平突条１６の上面に突設された上向き突条１７により、肉薄外周縁部１０の下面である水平面７及び段部９が隠蔽されるため、外観体裁が損なわれることがないばかりか、支持フレーム３の強度を高めることができる。
【００５６】
また、天板下面５における外周縁部に沿って形成された段部９、つまり天板下面５における肉厚部の側周面が上向きガイド部により覆われることで、天板２の水平移動が規制されるため、天板２の支持フレーム３に対する位置決めが容易になるばかりか、天板２の肉厚部の厚みに関わりなく、水平突条１６を肉薄外周縁部１０の下面に近づけて配置することができるため、外観上天板２の厚みを薄く見せることができる。
【００５７】
また、上向き突条１７が、水平突条１６における外側端部よりも内方位置に突設されている肉薄外周縁部１０の下面と水平突条１６の上面との間に溝部が形成されることで、天板の肉薄周縁部の薄さをより際立たせることができる。さらに、屈曲部１８を下方に屈曲して形成したことで、水平突条１６の強度がより高まる。
【００５８】
また、水平突条１６の外側端面１６ａは、天板２における肉薄外周縁部１０の外側端部の鉛直下方に配置されており、つまり、外側端面１６ａが外側端面１０ａよりも外方に張り出さないように形成されていることで、水平突条１６が天板２よりも外側に張り出すことがないので、安全である。
【００５９】
また、支持フレーム３の水平突条１６と、脚体４の垂直突条２０とにより、支持フレーム３や脚体４の厚みを肉厚とすることなく強度を高めることができるばかりか、天板周縁部下方には水平突条１６や垂直突条２０のみが配置され、支持フレーム３や脚体４は天板２の周縁部よりも内側に配置されるため、使用者に圧迫感を与えることがない。また、脚体４と支持フレーム３との連結状態において水平突条１６と垂直突条２０とが連続することにより、外観体裁が向上する。
【００６０】
また、１つの支持フレーム３の外側端面１６ａ及び該支持フレーム３に隣り合う脚体４それぞれの一方の垂直面２０ａにより下向きコ字形の連続面（図１参照）が形成されるため、テーブルの外観体裁が向上する。
【００６１】
以上、本発明の実施例を図面により説明してきたが、具体的な構成はこれら実施例に限られるものではなく、本発明の要旨を逸脱しない範囲における変更加があっても本発明に含まれる。
【００６２】
例えば、前記実施例では、支持フレーム３を、平面視長方形を成す方形枠状に形成したが、例えばテーブル１を円卓とし、平面視円形状の天板を支持可能なように、支持フレームを平面視円形を成す枠状に形成してもよしい。つまり、支持フレーム３は平面視枠状に配置されるものであれば、その形状は任意に変更可能である。
【００６３】
また、前記実施例では、支持フレーム３が、連結フレーム１１とブラケット１２とから構成されていたが、これらは一体で形成されていてもよいし、あるいは、ブラケット１２が脚柱４の上部に一体に形成され、該脚柱４の上端と連結フレーム１１とで支持フレーム３が構成されるようにしてもよい。
【００６４】
また、前記実施例では、上向き突条１７の上面を水平面に当接させたが、段部９が外面視から隠蔽されるようになれば、上向き突条１７の上面と水平面７間は近接、つまり若干離間していてもよい。
【００６５】
また、前記実施例では、支持フレーム３をアルミ材により製造された部材により構成したが、天板２の重量を支持可能であれば材質はステンレス等の他の金属部材や、樹脂でもよい。
【００６６】
また、前記実施例では、屈曲部１８と天板２の肉薄外周縁部１０の両外側端部を略面一となる位置に形成し、屈曲部１８を下方に屈曲させたが、屈曲部１８は肉薄外周縁部１０の外側端部よりも内方で下方に屈曲して形成してもよい。
【００６７】
また、前記実施例では、脚体４及びブラケット１２にブラケット１２の内側面に位置する内側角部１２ｄと、外側角部１２ｅを結ぶ対角線の延長上に向けて突設される垂直突条２０を形成したが、脚体を横断面視円形状に形成し、この円形の直径の延長上に向けて垂直突条２０を形成してもよい。
【００６８】
また、前記実施例では、水平突条１６は、連結フレーム１１及びブラケット１２の上面外縁部に突設されたガイド部１５の外側面上部から外方に突設されていたが、連結フレーム１１及びブラケット１２の本体部外側面から突設されていてもよい。
【００６９】
また、前記実施例では、家具（テーブル１等）本体を構成するフレームの一例である脚体４に配線挿通部としてのケーブル溝４ｃが設けられていたが、このような配線挿通部及び閉塞部材としてのケーブルカバー２１は、家具本体を構成するフレームであれば、例えば連結フレーム１１等、脚体４（脚フレーム）以外のフレームに設けてもよく、さらに、テーブル１以外の家具の本体を構成するフレームにも、本発明の配線挿通部及び閉塞部材を適用可能である。
【００７０】
また、前記実施例では、脚体４の下面をカバー体２４によって閉塞したが、カバー体２４を脚体４と一体に構成し、脚体４の上面からケーブルカバー２１を挿通させ、ケーブルカバー２１の下端部を固定ガイド突起２４ｂに挿嵌させてもよい。
【００７１】
また、前記実施例では、ケーブルカバー２１の上端部と下端部に固定ガイド突起１２ｆ，２４ｂを挿嵌させたが、少なくともケーブルカバー２１の荷重を支持する固定ガイド突起２４ｂがあれば、上部の固定ガイド突起１２ｆは設けなくてもよい。
【００７２】
また、前記実施例では、当接片２１ｄを水平方向に回動させることにより、開口４ｄがケーブルカバー２１の外周面２１ａによって閉塞される閉状態と、開口４ｄと開口部２１ｂが連通（合致）される開放状態とに切り換えられるが、当接片２１ｄをケーブルカバー２１に設けず、外周面２１ａに使用者が指を当接させて、そのまま水平方向に力を加えることでケーブルカバー２１を回動するようにしてもよい。
【００７３】
また、前記実施例では、家具の一例であるテーブル１の脚体４に配線挿通部としてのケーブル溝４ｃを設け、このケーブル溝４ｃ内にケーブルカバー２１を挿嵌して開口４ｄを開閉可能とした例を記載したが、このような配線挿通部は、例えば家具の他の例である机やワゴン等の脚体にも適用可能である。
【図面の簡単な説明】
【００７４】
【図１】本発明が適用されたテーブルの全体像を示す斜視図である。
【図２】図１のテーブルを示す要部拡大組立斜視図である。
【図３】脚体を下方から見上げた状態を示す横断平面図である。
【図４】図３のＢ−Ｂ断面図である。
【図５】図３のＢ−Ｂ断面図である。
【図６】図４のＣ−Ｃ断平面図である。
【図７】テーブルの角部の形状を示す斜視図である。
【図８】ケーブルカバーを示す斜視図である。
【図９】（ａ）は（ｃ）のＤ−Ｄ断面図であり、（ｂ）は（ｃ）のＥ−Ｅ断面図であり、（ｃ）は脚体におけるケーブル溝の開口が閉塞されている状態を示す一部破断正面図である。
【図１０】ａ）は（ｃ）のＦ−Ｆ断面図であり、（ｂ）は（ｃ）のＧ−Ｇ断面図であり、（ｃ）は脚体におけるケーブル溝が開放されている状態を示す一部破断正面図である。
【符号の説明】
【００７５】
１                テーブル（家具）
２                天板
２ａ              肉厚部
３                支持フレーム（フレーム，連結フレーム）
４                脚体（フレーム，脚フレーム）
４ｃ              ケーブル溝（配線挿通部）
４ｄ              開口
４ｅ              周壁
４ｆ              内側角部
４ｇ              外側角部
５                天板下面
６                垂直面
７                水平面
８                ラウンド面
９                段部
１０              肉薄外周縁部
１０ａ            外側端面（外側端部）
１１              連結フレーム（フレーム，支持フレーム）
１２              ブラケット（フレーム，支持フレーム）
１２ｂ            天板支持部
１２ｄ            内側角部
１２ｅ            外側角部
１２ｆ            固定ガイド突起
１２ｇ            内側面
１２ｈ            外側面
１５              ガイド部
１５ａ            外側面
１６              水平突条
１６ａ            外側端面（外側端部）
１７              上向き突条
１８              屈曲部
１９              天板支持面
２０              垂直突条
２０ａ            垂直面
２１              ケーブルカバー（閉塞部材）
２１ａ            外周面（摺接面）
２１ｂ            開口部
２１ｄ            当接片
２４              カバー体（下部蓋体）
２４ｂ            固定ガイド突起（軸部）
【図１】
0005014064.tif 000002
【図２】
0005014064.tif 000003
【図３】
0005014064.tif 000004
【図４】
0005014064.tif 000005
【図５】
0005014064.tif 000006
【図６】
0005014064.tif 000007
【図７】
0005014064.tif 000008
【図８】
0005014064.tif 000009
【図９】
0005014064.tif 000010
【図１０】
0005014064.tif 000011